(57)【要約】 【課題】  地震発生時に倒壊を防止するための免震機能を具えた墓石と言う新規な製品の提供を図る。【解決手段】  墓石を構成する竿石３の頂面中央部に弾力性を具えたゴム製柱５を立設すると共に、当該ゴム製柱５の上端に対し、下面を凹状面4aとする笠石状を呈するバランス用重り４を、その内面中心部において連結するように構成した免震機能を具えた墓石。【選択図】  図１
2013249604.tif 000002
【特許請求の範囲】
【請求項１】
墓石を構成する竿石(３)の頂面中央部に弾力性を具えたゴム製柱(５)を立設すると共に、当該ゴム製柱(５)の上端に対し、下面を凹状面(4a)とする笠石状を呈するバランス用重り(４)を、その内面中心部において連結するように構成した免震機能を具えた墓石。
【請求項２】
竿石(３)の頂面に取付けた取付け座(６)を介してゴム製柱(５)を立設すると共に、当該取付け座(６)の上面周縁寄りに、バランス用重り(４)に対する緩衝材(７)を取付けるように構成した請求項１に記載の免震機能を具えた墓石。
【請求項３】
ゴム製柱(５)の表面に適宜被覆材(５a)、好ましくは金色の被覆材を施すように構成した請求項１または請求項２の何れかに記載の免震機能を具えた墓石。
【請求項４】
中台(１)、上台(２)、竿石(３)の各積み重ね縁部分に、ゴム製コーナ片(８)を取付けるように構成した請求項１乃至請求項３の何れかに記載の免震機能を具えた墓石。
【発明の詳細な説明】
【技術分野】
【０００１】
本発明は、地震発生時に倒壊を防止するための免震機能を具えた墓石に関する。
【背景技術】
【０００２】
墓石とは、通常、最下位に位置して土台的役割を担う芝台の上に、中台、上台と称される台板状の石を重ね合わせ、その上に、竿石と称される縦長立方体状の石材を立てた状態で載置して成るものである。  従って、前記竿石は特に倒れ易く、強い地震発生時には倒壊して破損事故を招いてしまうことを余儀なくされた。
【０００３】
従来、このような事態発生を防止する手段として、石材の各部を一括して連結するようなボルトを収装しておくようにしたものがある（例えば、特許文献１参照。）。  そして、これ以外の手段として、縦長立方体状を呈しているため最も倒れ易い部分である竿石の下端面を、台板状の石に対して嵌め込み連結を図るように構成したものがある（例えば、特許文献２参照。）。
【先行技術文献】
【特許文献】
【０００４】
【特許文献１】特開平９−１３７６３８号公報
【特許文献２】特開２００６−１５２０９０号公報
【発明の概要】
【発明が解決しようとする課題】
【０００５】
上述したような従来の手段は、何れも耐震手段に属し、倒れないように補強すると言うような観点に基づくものである。  そして、何れの手段も、墓石の製作時に対応しておくようなものであり、既存の墓石に対する実施は殆ど不可能であり、また、可能としても費用が掛かってしまうことを余儀なくされた。
【０００６】
本発明は上記のような問題点の解消化を企図し、耐震と言うよりも、震動を逃がしてやる免震的なものとすると共に、既存の墓石に対しても改良的実施が可能とされるようにした「免震機能を具えた墓石」と言う新規の製品を提供するものである。
【課題を解決するための手段】
【０００７】
本発明は請求項１に記載のように、墓石を構成する竿石３の頂面中央部に弾力性を具えたゴム製柱５を立設すると共に、当該ゴム製柱５の上端に対し、下面を凹状面4aとする笠石状を呈するバランス用重り４を、その内面中心部において連結するように構成した免震機能を具えた墓石に係る。
【０００８】
本発明は請求項２に記載のように、竿石３の頂面に取付けた取付け座６を介してゴム製柱５を立設すると共に、当該取付け座６の上面周縁寄りに、バランス用重り４に対する緩衝材７を取付けるように構成した請求項１に記載の免震機能を具えた墓石を実施の態様とする。
【０００９】
本発明は請求項３に無記載のように、ゴム製柱５の表面に適宜被覆材５a、好ましくは金色の被覆材を施すように構成した請求項１または請求項２の何れかに記載の免震機能を具えた墓石を実施の態様とする。
【００１０】
本発明は請求項４に記載のように、中台１、上台２、竿石３の各積み重ね縁部分に、ゴム製コーナ片８を取付けるように構成した請求項１乃至請求項３の何れかに記載の免震機能を具えた墓石を実施の態様とする。
【発明の効果】
【００１１】
本発明は請求項１に記載のような構成、すなわち、墓石を構成する竿石３の頂面中央部に弾力性を具えたゴム製柱５を立設すると共に、当該ゴム製柱５の上端に対し、下面を凹状面4aとする笠石状を呈するバランス用重り４を、その内面中心部において連結するように構成したから、地震発生時、バランス用重り４は地震の震動と逆の方向に同期する首振り的振動が行われることとなる。  従って、地震発生に伴う当該バランス用重り４の振動に基づき、墓石の最も倒伏し易い部位である竿石３に対する免震作用が働き、その倒伏事故を未然に回避させる。
【００１２】
すなわち、地震により竿石３が図３に矢印で示す方向に傾いた際は、慣性の法則に基づきバランス用重り４には、これと反対方向に動かすような反力が生じ、そのため、当該重り４は同図に矢印で示す方向に振れ動くこととなる。  バランス用重り４は、このような地震の震動と常に逆方向の揺れ動きが生じ、これが竿石３に対する倒伏を阻止するような反力として加わり、竿石３に対する免震的作用が奏される。  更に、直下型地震の場合、墓石を上方に跳ね上げるような力として働くが、バランス用重り４の垂下方向への重石的な働きと、介在されている弾性連結&#26437;５が圧縮されることに依り直下型地震の力を吸収することができる。
【００１３】
本発明は請求項２に記載のような構成、すなわち、竿石３の頂面に取付けた取付け座６を介してゴム製柱５を立設すると共に、当該取付け座６の上面周縁寄りに、バランス用重り４に対する緩衝材７を取付けるように構成したから、当該バランス用重り４が激しく振れた際に竿石３の頂面激突を阻止し、当該衝突に基づく破損と言う心配を解消する。
【００１４】
本発明は請求項３に記載のような構成、すなわち、ゴム製柱５の表面に適宜被覆材５a、好ましくは金色の被覆材を施すように構成したから、当該ゴム製柱５の経年劣化を防止し、また、これを金色とすることに依って、墓石としての外観的価値が高められる。
【００１５】
本発明は請求項４に記載のような構成、すなわち、中台１、上台２、竿石３の各積み重ね縁部分に、ゴム製コーナ片８を取付けるように構成したから、地震に依るズレ動きが防止されると共に、これがゴム材であることに基づき、揺れの緩和吸収作用が奏される。
【図面の簡単な説明】
【００１６】
【図１】本発明の第１の実施例を表した正面図である。
【図２】同上平面図である。
【図３】本発明の要部を表した一部切欠正面図である。
【図４】本発明の他の実施例の要部を表した一部切欠正面図である。
【発明を実施するための形態】
【００１７】
図１乃至図３は本発明の実施例を表したものである。  同図において、Aは墓石であって、図示のものは、中台１、上台２、竿石３を順次積み重ねて構成する極めて一般的な形態のものである。  そして、本発明の実施対象とする墓石は、載置された竿石３を具えた墓石、換言すると、竿石が載置されているため、地震に伴いこれが揺れ動いて倒壊し易いと言うような一般的な墓石を対象とする。  従って、例えば塚状等のような不動のものは実施対象外とする。
【００１８】
４は下面を凹状面4aとする笠石状を呈するバランス用重りであって、石材、コンクリート、鉄材等、重量性を具えた材料で製したものである。  そして、当該重り４は平面真円状を呈するものとすることが、無指向的なバランス性確保のためには好ましいが、絶対的な要件とするものではない。  また、バランス用重り４にはその正面等に家紋を設けるようにして実施する場合もある。
【００１９】
５はゴム製柱であって、良好な撓り及びその復帰がなされる弾力性を具えたものである。そして、当該ゴム製柱５の上端は、前記バランス用重り４の下面中心部に連結すると共に、その下端は竿石３の頂面部中心に固定することに依って、バランス用重り４を搖動自在(無指向的な振り子運動自在)に取り付けてある。
【００２０】
上記構成に基づき、バランス用重り４は、地震が発生した際に生じる竿石３の揺れ動きに連動し、その逆の方向に揺れ動くような首振り的振動、換言すると地震の震動の方向に対してその逆の方向に同期させた首振り的振動が行われる。
【００２１】
すなわち、上述したような作動は、地震により竿石３が図３に矢印で示す方向に傾いた際、慣性の法則に基づきバランス用重り４には、これと反対方向に動かすような反力が生じ、そのため、当該重り４は同図に矢印で示す方向に振れ動くこととなる。  バランス用重り４は、このような地震の震動と常に逆方向の揺れ動きが生じ、これが竿石３に対する倒伏を阻止するような引き起こし力として作用し、竿石３に対する免震的効果が奏される。
【００２２】
また、バランス用重り４の重量、及び、ゴム製柱５の長さ、並びに弾性力は、取付け対象とする竿石３の大きさによって異なってくるため、これらは必要に応じて適宜設定する。
【００２３】
ゴム製柱５の竿石３頂面に対する固定手段であるが、図示の実施例にあっては、取付け座６を介して行うように構成してある。  そして、当該取付け座６の取付け手段であるが、竿石３の頂面中心部に接着剤等を介して取り付けるようにしてある。  然し乍、これ以外の手段であっても可とする。  
【００２４】
すなわち、本発明を既存の墓石に対して実施する場合は、上記のような接着剤に依存する後付的取付け手段を採ることが好ましい。  然し乍、新規な墓石に実施する場合は、埋め込み固定等、適宜な手段であっても可とする。
【００２５】
なお、図４に示すように、取付け座６の上面周縁寄りにバランス用重り４に対する緩衝材７を取付けておくことに依り、当該バランス用重り４が激しく振れた際に竿石３の頂面激突を緩和する様に構成される。  本発明はこのような形態で実施する場合もある。  なお、当該緩衝材７をバランス用重り４側に取付けた場合も同様な効果を奏するため、このような形態で実施することも可能である。
【００２６】
更に、図４に示すように、ゴム製柱５の表面に適宜被覆材５a、好ましくは金色の被覆材を施しておくことに依り、ゴム材硬化を防止すると共に、金色とすることに依り外観的価値性が高められる。
【００２７】
８はゴム製コーナ片であって、中台１、上台２、竿石３の各積み重ね縁部分に取付けることに依って、地震に依るズレ動きを防止するためのものである。  なお、これはゴム材であることに基づき、揺れの緩和吸収作用が奏されるようになっている。
【００２８】
本発明は主として既存の墓石に対して装着して実施するものである。  地震発生時の墓石は、通常、真っ先にその竿石３が揺れ動き倒壊してしまう。  これに対して本発明を装着した場合、そのバランス用重り４が竿石３の震動と反対方向へ振動して、その反力に基づき地震の震動に対す竿石３の傾動を最小化すると言うような免震作用が奏される。
【符号の説明】
【００２９】
A    墓石
１    中台
２    上台
３    竿石
４    バランス用重り
4a    凹状面
５    ゴム製柱
5a    被覆材
６    取付け座
７    緩衝材
８    ゴム製コーナ片
【図１】
2013249604.tif 000003
【図２】
2013249604.tif 000004
【図３】
2013249604.tif 000005
【図４】
2013249604.tif 000006